(57)【要約】【課題】ＬＥＤモジュール間の接続が簡素であって容易に行えるＬＥＤモジュールおよびＬＥＤ照明器具を提供する。【解決手段】ＬＥＤモジュールは、基板２と、発光ダイオード３と、基板２に設けられて発光ダイオード３の両端側がそれぞれ電気的に接続された一対の入力端子４ａ，４ｂと、基板２に設けられて一対の入力端子４ａ，４ｂにそれぞれ電気的に接続された一対の送り端子５ａ，５ｂと、第１および第２の接続端子６ａ，６ｂとからなり、正極側の入力端子４ａおよび第１の接続端子６ａが外部の直流電源に接続されるときに、負極側の入力端子４ｂおよび第２の接続端子６ｂが別の基板２に設けられた一対の入力端子４ａ，４ｂの正極側の入力端子４ａおよび第１の接続端子６ａに電気的に接続可能に基板２に設けられた送り配線端子６を具備している。【選択図】図２
2009044055.tif 000002
【特許請求の範囲】
【請求項１】
基板と；
この基板に実装された発光ダイオードと；
前記基板に設けられて前記発光ダイオードの両端側がそれぞれ電気的に接続され、外部の直流電源に接続可能な一対の入力端子と；
前記基板に設けられて前記一対の入力端子にそれぞれ電気的に接続され、別の基板に設けられた一対の入力端子に電気的に接続可能な一対の送り端子と；
前記一対の入力端子の正極側の入力端子と対をなす第１の接続端子と、この第１の接続端子と電気的に接続され前記一対の入力端子の負極側の入力端子と対をなす第２の接続端子とからなり、前記正極側の入力端子および第１の接続端子が外部の直流電源に接続されるときに、前記負極側の入力端子および第２の接続端子が別の基板に設けられた一対の入力端子の正極側の入力端子および第１の接続端子に電気的に接続可能にまたは前記負極側の入力端子および第２の接続端子の間が短絡可能に、前記基板に設けられた送り配線端子と；
を具備していることを特徴とするＬＥＤモジュール。
【請求項２】
基板は、発光ダイオード、一対の入力端子、一対の送り端子および送り配線端子を一組として複数組設けていることを特徴とする請求項１記載のＬＥＤモジュール。
【請求項３】
発光ダイオードは、その色光が組ごとに異なることを特徴とする請求項２記載のＬＥＤモジュール。
【請求項４】
一対の入力端子および送り配線端子は、基板の一端側に配設された第１の接続部材に設けられ、一対の送り端子は、基板の他端側に配設された第２の接続部材に設けられていることを特徴とする請求項１ないし３いずれか一記載のＬＥＤモジュール。
【請求項５】
請求項１ないし４いずれか一記載のＬＥＤモジュールと；
このＬＥＤモジュールを配設している器具本体と；
発光ダイオードに電流を供給する電源装置と；
を具備していることを特徴とするＬＥＤ照明器具。
【発明の詳細な説明】
【技術分野】
【０００１】
本発明は、発光ダイオードから照明光が放射されるＬＥＤモジュールおよびＬＥＤ照明器具に関する。
【背景技術】
【０００２】
発光ダイオード（ＬＥＤ）を用いた照明器具として、複数個のＬＥＤモジュールを取付基板に配置する照明器具が提案されている(例えば、特許文献１参照。)。この従来技術の照明器具は、各ＬＥＤモジュールの間をリード線により直列接続または並列接続あるいは直列接続と並列接続を組み合わせるものである。
【０００３】
また、プリント基板の両端にそれぞれ配線用コネクタを設け、配線をコネクタに接続することにより、基板を連結できるＬＥＤ照明用プリント基板が提案されている(特許文献２参照。)。この従来技術のＬＥＤ照明用プリント基板は、プリント基板が直線上に直列接続されるものである。
【特許文献１】特開２００７−５９２０７号公報（第５頁、第２図）
【特許文献２】特開２００７−１０３８８６号公報（第２頁、第１図）
【発明の開示】
【発明が解決しようとする課題】
【０００４】
特許文献１の照明器具は、ＬＥＤモジュールの一端側および他端側に突出するチップ搭載部材および端子板の部位がそれぞれ外部接続端子となり、この外部接続端子にリード線を接続するので、複数個のＬＥＤモジュールの直列接続または並列接続において誤配線しないように注意しながら接続する結果、接続作業に手間を要するおそれがあり、また、配線の引き回しにより基板の表面の配線状態が複雑になるおそれがある。
【０００５】
また、特許文献２のＬＥＤ照明用プリント基板は、プリント基板を直線上に直列接続することを想定しているので、複数個のプリント基板を取付基板に所定のパターンで配置する場合には、上記同様、接続作業に手間を要し、取付基板の表面での配線状態が複雑になるおそれがある。
【０００６】
本発明は、ＬＥＤモジュール間の接続が簡素であって容易に行えるＬＥＤモジュールおよびＬＥＤ照明器具を提供することを目的とする。
【課題を解決するための手段】
【０００７】
請求項１に記載のＬＥＤモジュールの発明は、基板と；この基板に実装された発光ダイオードと；前記基板に設けられて前記発光ダイオードの両端側がそれぞれ電気的に接続され、外部の直流電源に接続可能な一対の入力端子と；前記基板に設けられて前記一対の入力端子にそれぞれ電気的に接続され、別の基板に設けられた一対の入力端子に電気的に接続可能な一対の送り端子と；前記一対の入力端子の正極側の入力端子と対をなす第１の接続端子と、この第１の接続端子と電気的に接続され前記一対の入力端子の負極側の入力端子と対をなす第２の接続端子とからなり、前記正極側の入力端子および第１の接続端子が外部の直流電源に接続されるときに、前記負極側の入力端子および第２の接続端子が別の基板に設けられた一対の入力端子の正極側の入力端子および第１の接続端子に電気的に接続可能にまたは前記負極側の入力端子および第２の接続端子の間が短絡可能に、前記基板に設けられた送り配線端子と；を具備していることを特徴とする。
【０００８】
本発明および以下の各発明において、特に言及しない限り、各構成は以下による。
【０００９】
一対の入力端子間に接続される発光ダイオードは、１個または複数個のいずれであってもよい。複数個の場合、直列接続、並列接続または直並列接続のいずれであってもよい。
【００１０】
そして、発光ダイオードは、カソード側が入力端子の負極側に接続され、アノード側が入力端子の正極側に接続される。入力端子の正極側には、電源装置から出力された直流電圧の正極側が印加される。
【００１１】
一対の送り端子が別の基板の入力端子に接続されるとき、一対の入力端子は、外部の直流電源に接続される。別の基板の送り端子は、さらに別の基板の入力端子に接続される。こうして、各基板の一対の入力端子間に接続される発光ダイオードは、直流電源に対して並列的に接続される。
【００１２】
負極側の入力端子および第２の接続端子が別の基板の正極側の入力端子および第１の接続端子に接続されるとき、正極側の入力端子および第１の接続端子は、外部の直流電源に接続される。別の基板の負極側の入力端子および第２の接続端子は、さらに別の基板の正極側の入力端子および第１の接続端子に接続される。そして、最も後段側の基板の負極側の入力端子および第２の接続端子の間は短絡される。こうして、各基板の一対の入力端子間に接続される発光ダイオードは、直流電源に対して直列的に接続される。
【００１３】
本発明によれば、基板に実装された発光ダイオードに対して、基板を並列接続するときには、送り端子を別の基板の入力端子に順次接続し、最も前段側の基板の入力端子を外部の直流電源に接続する。また、同じく基板を直列接続するときには、負極側の入力端子および第２の接続端子を別の基板の正極側の入力端子および第１の接続端子に順次接続し、最も後段側の基板の負極側の入力端子および第２の接続端子の間を短絡し、最も前段側の正極側の入力端子および第１の接続端子を外部の直流電源に接続する。こうして、各基板に実装された発光ダイオードは、直流電源から供給される電流により点灯する。
【００１４】
請求項２に記載のＬＥＤモジュールの発明は、請求項１記載のＬＥＤモジュールにおいて、基板は、発光ダイオード、一対の入力端子、一対の送り端子および送り配線端子を一組として複数組設けていることを特徴とする。
【００１５】
基板の組ごとに複数個の基板を並列接続または直列接続してもよく、同一の基板において一組同士が並列接続または直列接続されてもよい。
【００１６】
本発明によれば、組ごとに発光ダイオードを点消灯または調光点灯させることが可能となる。
【００１７】
請求項３に記載のＬＥＤモジュールの発明は、請求項２記載のＬＥＤモジュールにおいて、発光ダイオードは、その色光が組ごとに異なることを特徴とする。
【００１８】
本発明によれば、発光ダイオードを組ごとに選択的に点灯させることによってそれぞれの色光による照明または異なる色光の混色による照明が行える。
【００１９】
請求項４に記載のＬＥＤモジュールの発明は、請求項１ないし３いずれか一記載のＬＥＤモジュールにおいて、一対の入力端子および送り配線端子は、基板の一端側に配設された第１の接続部材に設けられ、一対の送り端子は、基板の他端側に配設された第２の接続部材に設けられていることを特徴とする。
【００２０】
第１および第２の接続部材は、例えば端子台、コネクタとすることができる。コネクタの場合、雄コネクタおよび雌コネクタ同士を接続すればよいので、接続作業が容易に行える。
【００２１】
本発明によれば、基板に実装された発光ダイオードに対して、各基板が並列接続されるときは、第２の接続部材および別の基板の第１の接続部材の間が配線され、各基板が直列接続されるときは、第１の接続部材同士の間が配線される。したがって、基板の表面が簡素となり、配線が容易に行える。
【００２２】
請求項５に記載のＬＥＤ照明器具の発明は、請求項１ないし４いずれか一記載のＬＥＤモジュールと；このＬＥＤモジュールを配設している器具本体と；発光ダイオードに電流を供給する電源装置と；を具備していることを特徴とする。
【００２３】
電源装置は、器具本体に設けられてもよく、器具本体と別置されてもよい。
【００２４】
本発明によれば、請求項１ないし４いずれか一記載のＬＥＤモジュールを具備するＬＥＤ照明器具が提供される。
【発明の効果】
【００２５】
請求項１の発明によれば、基板に実装された発光ダイオードに対して、複数個の基板を並列接続するときには、一対の送り端子と別の基板の入力端子との間に配線し、複数個の基板を直列接続するときには、負極側の入力端子および第２の接続端子と、別の基板の正極側の入力端子および第１の接続端子との間に配線するとともに、最も後段側の基板の負極側の入力端子および第２の接続端子の間が短絡するように配線するので、ＬＥＤモジュール間の接続が簡素であって容易に行える結果、省力化を図ることができてＬＥＤモジュールを低コスト化することができる。
【００２６】
請求項２の発明によれば、基板に設けられた複数組の組ごとに発光ダイオードを点消灯または調光点灯させることにより、ＬＥＤモジュールから放射される照明光を調節することができる。
【００２７】
請求項３の発明によれば、基板に設けられた複数組の組ごとに選択的に発光ダイオードを点灯させることにより異なる色光による照明または異なる色光の混色による照明が行えるので、照明の演出を図ることができる。
【００２８】
請求項４の発明によれば、基板に実装された発光ダイオードに対して、各基板が並列接続されるときは、第２の接続部材および別の基板の第１の接続部材の間を配線し、各基板が直列接続されるときは、第１の接続部材同士の間を配線するので、誤配線されることが抑制されて接続作業を容易に行うことができ、配線の引き回しが防止されて基板を簡素することができる結果、省力化が図られて、ＬＥＤモジュールを低コスト化することができる。
【００２９】
請求項５の発明によれば、低コスト化されるＬＥＤモジュールを具備するので、ＬＥＤ照明器具を安価にして提供することができる。
【発明を実施するための最良の形態】
【００３０】
以下、本発明の一実施の形態について、図面を参照して説明する。まず、本発明の第１の実施形態について説明する。
【００３１】
図１ないし図３は、本発明の第１の実施形態を示し、図１はＬＥＤモジュールの概略構成図、図２は複数個のＬＥＤモジュールの直列接続図、図３は複数個のＬＥＤモジュールの並列接続図である。
【００３２】
図１において、ＬＥＤモジュール１は、基板２の一面２ａにそれぞれ設けられた発光ダイオード３、一対の入力端子４ａ，４ｂ、一対の送り端子５ａ，５ｂ、第１の接続端子６ａおよび第２の接続端子６ｂからなる送り配線端子６を有して構成されている。
【００３３】
基板２は、例えばガラスエポキシ材または紙フェノール材などからなり、例えば長方形状に形成されている。発光ダイオード３は、面実装形であり、例えば可視光を放射するように形成されている。そして、発光ダイオード３は、基板２の一面(表面)２ａに多数個が実装され、基板２に形成された配線パターン(銅箔パターン)７ａにより直列接続されている。直列接続された両端側であるアノード側およびカソード側は、入力端子４ａ，４ｂにそれぞれ電気的に接続されている。入力端子４ａは、正極側の入力端子、入力端子４ｂは、負極側の入力端子となっている。
【００３４】
そして、一対の入力端子４ａ，４ｂと、送り配線端子６である第１および第２の接続端子６ａ，６ｂとは、基板２の一端側２Ａに配設された第１の接続部材としての雄コネクタ８に設けられている。すなわち、一対の入力端子４ａ，４ｂ、第１および第２の接続端子６ａ，６ｂは、雄コネクタ８の接続ピンとして立設され、雄コネクタ８において入力端子４ａ、第１の接続端子６ａ、入力端子４ｂおよび第２の接続端子６ｂの順に直線状に配設されている。
【００３５】
一対の入力端子４ａ，４ｂは、基板２に形成された配線パターン７ｂ，７ｃにより、直列接続された発光ダイオード３の両端側に電気的に接続しているとともに、一対の送り端子５ａ，５ｂにそれぞれ電気的に接続している。一対の入力端子４ａ，４ｂは、入力端子４ａを正極側として外部の電源装置に接続される。そして、電源装置から電力が供給されると、発光ダイオード３に電流が流れて、発光ダイオード３が点灯し、可視光を放射する。また、一対の送り端子５ａ，５ｂ間には、入力端子４ａ，４ｂ間に印加された直流電圧が発生する。
【００３６】
一対の送り端子５ａ，５ｂは、基板２の他端側２Ｂに配設された第２の接続部材としての雄コネクタ９に設けられている。そして、一対の送り端子５ａ，５ｂは、雄コネクタ９の接続ピンとして立設され、雄コネクタ９において直線状に配設されている。送り端子５ａ，５ｂは、配線パターン７ｂ，７ｃにより入力端子４ａ，４ｂに電気的に接続され、入力端子４ａ，４ｂ間に印加された直流電圧が発生する。したがって、一対の送り端子５ａ，５ｂは、別の基板２に設けられた一対の入力端子４ａ，４ｂに電気的に接続することができる。すなわち、複数個のＬＥＤモジュール１が外部の電源装置に対して並列接続されるときに、一対の送り端子５ａ，５ｂが使用される。
【００３７】
送り配線端子６は、基板２に形成された配線パターン７ｄにより電気的に接続された第１の接続端子６ａおよび第２の接続端子６ｂからなり、複数個のＬＥＤモジュール１が外部の電源装置に対して直列接続されるときに使用される。すなわち、第１の接続端子６ａは、正極側の入力端子４ａと対を成す負極側の入力端子となっている。また、第２の接続端子６ｂは、負極側の入力端子４ｂと対を成している。入力端子４ｂおよび第２の接続端子６ｂは、基板２が直列接続されるときの送り端子となっている。
【００３８】
そして、直列接続された最前段のＬＥＤモジュール１（基板２）の入力端子４ａおよび第１の接続端子６ａは、外部の電源装置に接続され、入力端子４ｂおよび第２の接続端子６ｂは、別の（隣の）ＬＥＤモジュール１の入力端子４ａおよび第１の接続端子６ａに接続される。そして、順次、入力端子４ｂおよび第２の接続端子６ｂが別のＬＥＤモジュール１（基板２）の入力端子４ａおよび第１の接続端子６ａに接続される。そして、最後段のＬＥＤモジュール１の入力端子４ｂおよび第２の接続端子６ｂは、外部の電源装置に対して閉ループとなるように、短絡される。これにより、直列接続されたＬＥＤモジュール１（基板２）において、発光ダイオード３に電流が流れる。
【００３９】
ＬＥＤモジュール１は、照明器具において単体でも用いることができるが、高光束を得るために複数個が用いられる。この場合、複数個のＬＥＤモジュール１は、直列接続または並列接続される。
【００４０】
図２において、複数個のＬＥＤモジュール１は、電源装置１０に対して直列接続されている。最前段のＬＥＤモジュール１ａの入力端子４ａおよび第１の接続端子６ａには、電源装置１０に接続された電源ケーブル１１の雌コネクタ１２が接続されている。これにより、電源装置１０からＬＥＤモジュール１ａの入力端子４ａおよび第１の接続端子６ａに電流が供給可能となる。
【００４１】
そして、最前段のＬＥＤモジュール１ａの入力端子４ｂおよび第２の接続端子６ｂには、結束ケーブル１３の雌コネクタ１４が接続され、中間のＬＥＤモジュール１ｂの入力端子４ａおよび第１の接続端子６ａには、結束ケーブル１３の雌コネクタ１５が接続されている。また、中間のＬＥＤモジュール１ｂの入力端子４ｂおよび第２の接続端子６ｂには、結束ケーブル１６の雌コネクタ１７が接続され、最後段のＬＥＤモジュール１ｃの入力端子４ａおよび第１の接続端子６ａには、結束ケーブル１６の雌コネクタ１８が接続されている。そして、最後段のＬＥＤモジュール１ｃの入力端子４ｂおよび第２の接続端子６ｂは、雌コネクタ１９が接続され、リード線２０で短絡されている。
【００４２】
上述により、電源装置１０から最前段のＬＥＤモジュール１ａの入力端子４ａおよび第１の接続端子６ａに供給された電流は、ＬＥＤモジュール１ａの入力端子４ａ、直列接続された発光ダイオード３、入力端子４ｂ、結束ケーブル１３、中間のＬＥＤモジュール１ｂの入力端子４ａ、直列接続された発光ダイオード３、入力端子４ｂ、結束ケーブル１６、最後段のＬＥＤモジュール１ｃの入力端子４ａ、直列接続された発光ダイオード３、入力端子４ｂ、雌コネクタ１９のリード線２０、ＬＥＤモジュール１ｃの第２の接続端子６ｂ、配線パターン７ｄ、第１の接続端子６ａ、結束ケーブル１６、ＬＥＤモジュール１ｂの第２の接続端子６ｂ、配線パターン７ｄ、第１の接続端子６ａ、結束ケーブル１３、ＬＥＤモジュール１ａの第２の接続端子６ｂ、配線パターン７ｄ、第１の接続端子６ａの経路で流れる。これにより、各ＬＥＤモジュール１ａ，１ｂ，１ｃの発光ダイオード３が点灯し、可視光が放射される。そして、電源装置１０から供給される電流量に応じて、発光ダイオード３からの光束が変化する。
【００４３】
図３において、複数個のＬＥＤモジュール１は、電源装置１０に対して並列接続されている。前段のＬＥＤモジュール１ａの一対の入力端子４ａ，４ｂには、電源装置１０に接続された電源ケーブル２１の雌コネクタ２２が接続されている。これにより、電源装置１０から出力された直流電圧がＬＥＤモジュール１ａの一対の入力端子４ａ，４ｂ間に印加可能となる。
【００４４】
そして、前段のＬＥＤモジュール１ａの一対の送り端子５ａ，５ｂには、結束ケーブル２３の雌コネクタ２４が接続され、後段のＬＥＤモジュール１ｂの一対の入力端子４ａ，４ｂには、結束ケーブル２３の雌コネクタ２５が接続されている。
【００４５】
電源装置１０から出力された直流電圧がＬＥＤモジュール１ａの一対の入力端子４ａ，４ｂ間に印加すると、入力端子４ａ、配線パターン７ｂ、直列接続された発光ダイオード３、配線パターン７ｃ、入力端子４ｂの経路で電流が流れて、発光ダイオード３が点灯し、可視光が放射される。また、前記直流電圧は、ＬＥＤモジュール１ａの配線パターン７ｂ，７ｃ、一対の送り端子５ａ，５ｂ、結束ケーブル２３を経由して後段のＬＥＤモジュール１ｂの一対の入力端子４ａ，４ｂ間に印加する。これにより、ＬＥＤモジュール１ｂの発光ダイオード３に電流が流れて、発光ダイオード３が点灯し、可視光が放射される。各ＬＥＤモジュール１ａ，１ｂの発光ダイオード３は、電源装置１０から出力される直流電圧に応じて、放射する光束が変化する。
【００４６】
上述したように、複数個のＬＥＤモジュール１は、一対の入力端子４ａ，４ｂ、一対の送り端子５ａ，５ｂ、第１および第２の接続端子６ａ，６ｂからなる送り配線端子６を用いて、直列接続または並列接続される。そして、ＬＥＤモジュール１を直列接続するときには、正極側の入力端子４ａおよび第１の接続端子６ａを電源装置１０に接続し、負極側の入力端子４ｂおよび第２の接続端子６ｂと、別の(隣の)基板２に設けられている正極側の入力端子４ａおよび第１の接続端子６ａとの間に配線し、最後段のモジュール１において基板２に設けられている負極側の入力端子４ｂおよび第２の接続端子６ｂの間が短絡するように配線する。また、ＬＥＤモジュール１を並列接続するときには、一対の入力端子４ａ，４ｂを電源装置１０に接続し、一対の送り端子５ａ，５ｂと別の基板２に設けられている一対の入力端子４ａ，４ｂとの間に順次配線する。したがって、ＬＥＤモジュール１での誤配線に対する注意が抑制されるなど、配線（接続）が簡素であって容易に行える。この結果、当該配線作業(接続作業)に対して省力化を図ることができて、ＬＥＤモジュール１を低コスト化することができる。
【００４７】
そして、一対の入力端子４ａ，４ｂ、送り配線端子６の第１および第２の接続端子６ａ，６ｂは、基板２の一端側２Ａに配設された第１の接続部材８に設けられ、一対の送り端子５ａ，５ｂは、基板２の他端側２Ｂに配設された第２の接続部材に設けられている。これにより、ＬＥＤモジュール１を直列接続するときには、第１の接続部材８の入力端子４ａおよび第１の接続端子６ａを電源装置１０に接続し、各ＬＥＤモジュール１の第１の接続部材８同士の間を配線し、ＬＥＤモジュール１を並列接続するときには、第１の接続部材８の一対の入力端子４ａ，４ｂを電源装置１０に接続し、第２の接続部材９および別の(隣の)基板２の第１の接続部材８の間を配線するので、誤配線がさらに抑制されて、接続作業をより容易に行うことができるとともに、配線の引き回しが防止されて基板２（ＬＥＤモジュール１）を簡素にすることができる。
【００４８】
また、第１の接続部材８および第２の接続部材９がそれぞれ雄コネクタで形成されることにより、ＬＥＤモジュール１を直列接続するときには、図２に示すように、雌コネクタ１２付きの電源ケーブル１１、雌コネクタ１４，１５付きの結束ケーブル１３、雌コネクタ１７，１８付きの結束ケーブル１６、リード線２０付きの雌コネクタ１９を第１の接続部材８に接続すればよく、ＬＥＤモジュール１を並列接続するときには、図３に示すように、雌コネクタ２２付きの電源ケーブル２１を第１の接続部材８に接続し、雌コネクタ２４，２５付きの結束ケーブル２３を第２の接続部材９および第１の接続部材８に接続すればよいので、接続作業が容易に行える。したがって、ＬＥＤモジュール１を直列接続または並列接続するときの接続作業に対する省力化をより図ることができて、ＬＥＤモジュール１を低コスト化することができる。
【００４９】
なお、ＬＥＤモジュール１において、基板２は長方形状に形成しているが、正方形、円形や楕円形など、所望の形状に形成すればよいものである。
【００５０】
次に、本発明の第２の実施形態について説明する。
【００５１】
図４ないし図６は、本発明の第２の実施形態を示し、図４はＬＥＤモジュールの概略構成図、図５は複数個のＬＥＤモジュールの直列接続図、図６は複数個のＬＥＤモジュールの並列接続図である。なお、図１ないし図３と同一部分には、同一符号を付して説明は省略する。
【００５２】
図４に示すＬＥＤモジュール２６は、図１に示す発光ダイオード３、一対の入力端子４ａ，４ｂ、一対の送り端子５ａ，５ｂおよび送り配線端子６を一組として１つの基板２７に２組設けたものである。そして、各組の入力端子４ａ，４ｂおよび送り配線端子６が第１の接続部材としての雄コネクタ２８に設けられ、各組の送り端子５ａ，５ｂが第２の接続部材としての雄コネクタ２９に設けられたものである。
【００５３】
そして、複数個のＬＥＤモジュール２６は、図５に示すように、各組ごとに、雌コネクタ１２付きの電源ケーブル１１により電源装置１０に接続されて、雌コネクタ１４，１５付きの結束ケーブル１３およびリード線２０付きの雌コネクタ２０により直列接続される。また、図６に示すように、各組ごとに、雌コネクタ２２付きの電源ケーブル２１により電源装置１０に接続されて、雌コネクタ２４，２５付きの結束ケーブル２３により並列接続される。
【００５４】
直列接続または並列接続されたＬＥＤモジュール２６は、上記各組ごとに電源装置１０に接続されているので、各組ごとに発光ダイオード３が点灯、消灯または調光点灯される。これにより、ＬＥＤモジュール２６から放射される照明光を段階的にまたは連続的に調節することができる。
【００５５】
また、ＬＥＤモジュール２６において、発光ダイオード３をその色光が組ごとに異なるように形成することができる。この場合、発光ダイオード３を組ごとに選択的に点灯させることによって、ＬＥＤモジュール２６からそれぞれの色光または異なる色光の混色光が放射される。したがって、異なる色光による照明および異なる色光の混色による照明を行うことで、照明の演出を図ることができる。
【００５６】
なお、ＬＥＤモジュール２６は、上記一組を３組以上設けるようにしてもよい。
【００５７】
次に、本発明の第３の実施形態について説明する。
【００５８】
図７は、本発明の第３の実施形態を示すＬＥＤ照明器具であり、（ａ）は一部切り欠き概略側面図、（ｂ）は概略下面図である。なお、図１と同一部分には、同一符号を付して説明は省略する。
【００５９】
図７に示すＬＥＤ照明器具３０は、天井などの造営物に埋設される埋め込み形照明器具であり、灯体３１、器具本体３２および電源装置１０を有して形成されている。
【００６０】
灯体３１は、例えばアルミニウム（Ａｌ）からなり、図７（ａ）に示すように、それぞれ略円筒状の上灯体部３３および下灯体部３４に形成されている。上灯体部３３および下灯体部３４は、図示しないねじにより一体化されている。そして、上灯体部３３は、電源装置１０を内蔵し、下灯体部３４は、下面３４ａに複数個のＬＥＤモジュール１を張り合わせにより設けている。
【００６１】
下灯体部３４の下面３４ａには、図７（ｂ）に示すように、挿通孔３５が形成されており、この挿通孔３５から電源装置１０に接続された電源ケーブル１１(電源ケーブル２１)が導出されている。そして、複数個のＬＥＤモジュール１は、図２(図３)に示すように、直列接続(並列接続)されている。
【００６２】
上灯体部３３は、図７（ａ）に示すように、側面３３ａに外周に亘って溝３６が形成されている。また、上面３３ｂに支持部材３７をねじ３８，３８により固定している。
【００６３】
器具本体３２は、例えば鋼板からなり、上端３２ａに灯体３１の上灯体部３３の上面３３ｂよりも大きな開口３９を有し、下端３２ｂに外方に延在する鍔部４０を有する略円筒状に形成されている。そして、鍔部４０に、板状の取付ばね４１，４１が固定されている。取付ばね４１，４１および鍔部４０の間に天井などの造営物が挟み込まれて挟持されることにより、器具本体３２が造営物に固定される。
【００６４】
器具本体３２の上端３２ａには、上端面と略同一面状となるように内方に突出する複数の突出片４２が設けられている。突出片４２は、上端３２ａから延在して形成され、上端３２ａの周回に等間隔となるように３個が設けられている。
【００６５】
灯体３１に固定されている支持部材３７は、略板状のアルミニウム（Ａｌ）からなり、略円状の中空部４３を有し、その外形が器具本体３２の開口３９と相似する円状であって開口３９よりも幾分小さく形成されている。そして、支持部材３７の上面には、複数の爪部４４が設けられている。爪部４４は、灯体３１の周回方向となるように、支持部材３７の上面が切り起こされて形成され、灯体３１の上面３３ｂの周回に等間隔となるように３個が設けられている。爪部４４は、先端部が弾性を有して、器具本体３２の突出片４２に対応するように設けられている。
【００６６】
灯体３１が回動されると、爪部４４の先端部が突出片４２を乗り越える。これにより、器具本体３２の突出片４２は、支持部材３７の上面と爪部４４の間に挟まれる。そして、爪部４４は、突出片４２に係止する。これにより、支持部材３７を固定している灯体３１が器具本体３２に収容されるように器具本体３２の上端３２ａ側に取り付けられる。
【００６７】
そして、灯体３１が器具本体３２に取り付けられた後、有底の円筒体からなる透光性のカバー４５が器具本体３２の下端３２ｂ側の内面に嵌め込まれている。
【００６８】
ＬＥＤ照明器具３０は、灯体３１の下灯体部３４の下面３４ａに複数個のＬＥＤモジュール１を張り合わせることにより、多数個の発光ダイオード３を配設することができる。したがって、発光ダイオード３からの放射光により、明るく照明することができる。また、ＬＥＤモジュール１が低コスト化されるので、安価に形成することができる。
【図面の簡単な説明】
【００６９】
【図１】本発明の第１の実施形態を示すＬＥＤモジュールの概略構成図。
【図２】同じく、複数個のＬＥＤモジュールの直列接続図。
【図３】同じく、複数個のＬＥＤモジュールの並列接続図。
【図４】本発明の第２の実施形態を示すＬＥＤモジュールの概略構成図。
【図５】同じく、複数個のＬＥＤモジュールの直列接続図。
【図６】同じく、複数個のＬＥＤモジュールの並列接続図。
【図７】本発明の第３の実施形態を示すＬＥＤ照明器具であり、（ａ）は一部切り欠き概略側面図、（ｂ）は概略下面図。
【符号の説明】
【００７０】
１，２６…ＬＥＤモジュール
２、２７…基板
３…発光ダイオード
４ａ，４ｂ…入力端子
５ａ，５ｂ…送り端子
６…送り配線端子
６ａ…第１の接続端子
６ｂ…第２の接続端子
８，２８…第１の接続部材としての雄コネクタ
９，２９…第２の接続部材としての雄コネクタ
１０…電源装置
３０…ＬＥＤ照明器具
３２…器具本体
【図１】
2009044055.tif 000003
【図２】
2009044055.tif 000004
【図３】
2009044055.tif 000005
【図４】
2009044055.tif 000006
【図５】
2009044055.tif 000007
【図６】
2009044055.tif 000008
【図７】
2009044055.tif 000009